(57)【要約】【課題】電話にでる前に、通話を行うかどうかの判断をより的確に行うことができる電話装置を提供する。【解決手段】画像合成手段７３は、送信元の情報を表す画像と送信先の情報を表す画像とを合成する。画像符号化手段７４は、この合成画像を符号化する。音声符号化手段７７は、送信元及び送信先の情報を表す音声を符号化する。多重化手段７６は、符号化合成画像と符号化音声とを多重化する。接続制御手段９は、送信先の電話装置のオフフック前に、この多重化信号を送信する。送信先の電話装置では、送信元及び送信先の情報を表す画像をオフフック前に表示でき、また、送信元及び送信先の情報を表す音声をオフフック前に出力できる。【選択図】　図１
2004072674.tif 000002
【特許請求の範囲】
【請求項１】
送信先の電話装置のオフフックの前に、マルチメディア情報を送信する、ことを特徴とする電話装置。
【請求項２】
送信元の電話装置が送信したマルチメディア情報に基づく情報を、オフフックの前に表示する、ことを特徴とする電話装置。
【請求項３】
送信先の電話装置のオフフックの前に、送信元の情報を表す画像を送信する、ことを特徴とする電話装置。
【請求項４】
送信先の電話装置のオフフックの前に、送信先の情報を表す画像を送信する、ことを特徴とする請求項３記載の電話装置。
【請求項５】
受信した情報に基づいた画像を送信先の電話装置に送信する基地局装置を介して、送信先の電話装置と通信を行う電話装置であって、
送信先の電話装置のオフフックの前に、前記基地局装置へ、送信元の情報を送信し、
送信元の前記情報は、前記基地局装置において、前記画像を取得する基になる、ことを特徴とする電話装置。
【請求項６】
送信先の電話装置のオフフックの前に、前記基地局装置へ、送信先の情報を送信し、
送信先の前記情報は、前記基地局装置において、前記画像を取得する基になる、ことを特徴とする請求項５記載の電話装置。
【請求項７】
送信元の電話装置が送信した、送信元の情報を表す画像を、オフフックの前に表示する、ことを特徴とする電話装置。
【請求項８】
送信元の電話装置が送信した、送信先の情報を表す画像を、オフフックの前に表示する、ことを特徴とする請求項７記載の電話装置。
【請求項９】
送信元の電話装置が送信した送信元の情報に基づいて、基地局装置が取得した画像を、オフフックの前に表示する、ことを特徴とする電話装置。
【請求項１０】
送信元の電話装置が送信した送信先の情報に基づいて、基地局装置が取得した画像を、オフフックの前に表示する、ことを特徴とする請求項９記載の電話装置。
【請求項１１】
送信元の電話装置が送信した送信元の情報に基づいて、画像を生成する手段を備え、
当該画像をオフフックの前に表示する、ことを特徴とする電話装置。
【請求項１２】
送信元の電話装置が送信した送信先の情報に基づいて、画像を生成する手段をさらに備え、
当該画像をオフフックの前に表示する、ことを特徴とする請求項１１記載の電話装置。
【請求項１３】
送信元の情報を表す前記画像は、顔画像を含む、ことを特徴とする請求項３又は７記載の電話装置。
【請求項１４】
前記画像は、顔画像を含む、ことを特徴とする請求項５又は９記載の電話装置。
【請求項１５】
送信先の電話装置のオフフックの前に、送信元の情報を表す音声を送信する、ことを特徴とする電話装置。
【請求項１６】
送信先の電話装置のオフフックの前に、送信先の情報を表す音声を送信する、ことを特徴とする請求項１５記載の電話装置。
【請求項１７】
オフフックの後に、所定の画像を、送信元の電話装置へ送信し、送信元の電話装置との通信を遮断する、ことを特徴とする請求項７、８、１１、又は１２記載の電話装置。
【請求項１８】
オフフックの後に、所定の音声を、送信元の電話装置へ送信し、送信元の電話装置との通信を遮断する、ことを特徴とする請求項７、８、１１、又は１２記載の電話装置。
【請求項１９】
受信した情報に基づいた音声を送信先の電話装置に送信する基地局装置を介して、送信先の電話装置と通信を行う電話装置であって、
送信先の電話装置のオフフックの前に、前記基地局装置へ、送信元の情報を送信し、
送信元の前記情報は、前記基地局装置において、前記音声を取得する基になる、ことを特徴とする電話装置。
【請求項２０】
送信元の電話装置が送信した送信元の情報に基づいて画像を取得する手段を備え、
取得した前記画像を、送信先の電話装置のオフフック前に、送信先の電話装置に送信する、ことを特徴とする基地局装置。
【請求項２１】
取得する前記画像は、顔画像を含む、ことを特徴とする請求項２０記載の基地局装置。
【請求項２２】
送信元の電話装置が送信した送信先の情報に基づいて画像を取得する手段を備え、
取得した前記画像を、送信先の電話装置のオフフック前に、送信先の電話装置に送信する、ことを特徴とする請求項２０記載の基地局装置。
【請求項２３】
送信元の電話装置が送信した送信元の情報に基づいて音声を取得する手段を備え、
取得した前記音声を、送信先の電話装置のオフフック前に、送信先の電話装置に送信する、ことを特徴とする基地局装置。
【請求項２４】
オフフックの後に送信先の電話装置が送信した遮断要求信号に応じて、所定の画像を、送信元の電話装置へ送信し、送信元の電話装置と送信先の電話装置との通信を遮断する、ことを特徴とする請求項２０、２２、又は２３記載の基地局装置。
【請求項２５】
オフフックの後に送信先の電話装置が送信した遮断要求信号に従って、所定の音声を、送信元の電話装置へ送信し、送信元の電話装置と送信先の電話装置との通信を遮断する、ことを特徴とする請求項２０、２２、又は２３記載の基地局装置。
【請求項２６】
送信先の電話装置のオフフックの前に、マルチメディア情報を送信する、ことを特徴とする通信方法。
【発明の詳細な説明】
【０００１】
【発明の属する技術分野】
本発明は、電話装置、その伝送を中継する基地局装置、及び、その関連技術に関する。
【０００２】
【従来の技術】
現代社会において、電話による悪質なセールス、ストーカーによる悪質な電話など、電話に関する様々な問題がある。
【０００３】
従って、通話前に、発信者が何者であるかを確認して、安心して電話にでたいという要望がでてくる。
【０００４】
そこで、日本国において、発信者名と発信電話番号とを、相手方の電話装置に表示するサービスを開始する旨の広告が、２００２年３月ごろに配布され、そのサービスが、２００２年７月上旬に開始された。
【０００５】
従って、発信者名及び発信電話番号を見て、通話をしたくないならば、電話にでることなく、通話を拒否できる。
【０００６】
【発明が解決しようとする課題】
しかしながら、発信者名及び発信電話番号が表示されても、それだけの情報では、電話にでるべきかどうか判断できない場合がある。
【０００７】
例えば、名前をはっきり覚えていない場合、顔を見て判断したい場合、などである。
【０００８】
また、例えば、セールスの電話であっても、商品を見て判断したい場合、などである。
【０００９】
そこで、本発明は、電話にでる前に、通話を行うかどうかの判断をより的確に行うことができる電話装置及びその関連技術を提供することを目的とする。
【００１０】
また、本発明は、電話にでる前に、的確な対応をすることができる電話装置及びその関連技術を提供することを目的とする。
【００１１】
【課題を解決するための手段】
請求項１記載の電話装置では、送信先の電話装置のオフフックの前に、マルチメディア情報を送信する。
【００１２】
この構成により、マルチメディア情報は、送信元の本電話装置から、送信先の電話装置へ送信される。
【００１３】
従って、送信元の本電話装置の利用者は、送信先に応じたマルチメディア情報を送信できる。しかも、このマルチメディア情報は、送信先の電話装置のオフフック前に送信される。
【００１４】
その結果、送信先の電話装置の利用者は、電話に出る前に、的確な対応をすることができる。
【００１５】
請求項２記載の電話装置では、送信元の電話装置が送信したマルチメディア情報に基づく情報を、オフフックの前に表示する。
【００１６】
この構成により、送信先の本電話装置では、送信元の電話装置が、送信先に応じて送信するマルチメディア情報に基づく情報を、オフフック前に表示できる。
【００１７】
その結果、送信先の本電話装置の利用者は、電話にでる前に、的確な対応をすることができる。
【００１８】
請求項３記載の電話装置では、送信先の電話装置のオフフックの前に、送信元の情報を表す画像を送信する。
【００１９】
この構成により、送信元の情報を表す画像は、送信元の本電話装置から、送信先の電話装置へ送信される。
【００２０】
従って、送信元の本電話装置の利用者は、送信先に応じた、送信元の情報を表す任意の画像を送信できる。しかも、この送信元の情報を表す画像は、送信先の電話装置のオフフック前に送信される。
【００２１】
その結果、送信先の電話装置の利用者は、電話にでる前に、通話を行うかどうかの判断をより的確に行うことができる。
【００２２】
また、送信元の本電話装置は、送信元の情報を表す画像を送信するので、文字情報を送信する場合と比較して、送信元の情報の表現の自由度が大きい。
【００２３】
請求項４記載の電話装置では、送信先の電話装置のオフフックの前に、送信先の情報を表す画像を送信する。
【００２４】
この構成により、送信先の電話装置では、送信元の本電話装置から送信された送信先の情報を表す画像を、オフフック前に表示できる。
【００２５】
その結果、送信先の電話装置の利用者は、電話にでる前に、間違い電話かどうかを判断できる。
【００２６】
また、送信元の本電話装置は、送信先の情報を表す画像を送信するので、文字情報を送信する場合と比較して、送信先の情報の表現の自由度が大きい。
【００２７】
請求項５記載の電話装置では、受信した情報に基づいた画像を送信先の電話装置に送信する基地局装置を介して、送信先の電話装置と通信を行う電話装置であって、送信先の電話装置のオフフックの前に、基地局装置へ、送信元の情報を送信し、送信元の情報は、基地局装置において、画像を取得する基になる。
【００２８】
この構成により、送信元の情報は、送信元の本電話装置から、基地局装置へ送信され、さらに、画像として、送信先の電話装置へ送信される。
【００２９】
従って、送信元の本電話装置の利用者は、送信先に応じた、送信元の任意の情報を送信できる。
【００３０】
これにより、送信先の電話装置では、送信先に応じた、送信元の情報を表す画像を、オフフック前に表示できる。
【００３１】
その結果、送信先の電話装置の利用者は、電話にでる前に、通話を行うかどうかの判断をより的確に行うことができる。
【００３２】
また、最終的に、送信先の電話装置には、送信元の情報を表す画像が送信されるので、文字情報が送信される場合と比較して、送信元の情報の表現の自由度が大きい。
【００３３】
請求項６記載の電話装置では、送信先の電話装置のオフフックの前に、基地局装置へ、送信先の情報を送信し、送信先の情報は、基地局装置において、画像を取得する基になる。
【００３４】
この構成により、送信先の情報は、送信元の本電話装置から、基地局装置へ送信され、さらに、画像として、送信先の電話装置へ送信される。
【００３５】
従って、送信先の電話装置では、送信元から送信された送信先の情報を表す画像を、オフフック前に表示できる。
【００３６】
その結果、送信先の電話装置の利用者は、電話にでる前に、間違い電話かどうかを判断できる。
【００３７】
また、最終的に、送信先の電話装置には、送信先の情報を表す画像が送信されるので、文字情報が送信される場合と比較して、送信先の情報の表現の自由度が大きい。
【００３８】
請求項７記載の電話装置では、送信元の電話装置が送信した、送信元の情報を表す画像を、オフフックの前に表示する。
【００３９】
この構成により、送信先の本電話装置では、送信元の電話装置が、送信先に応じて送信する、送信元の情報を表す任意の画像を、オフフック前に表示できる。
【００４０】
その結果、送信先の本電話装置の利用者は、電話にでる前に、通話を行うかどうかの判断をより的確に行うことができる。
【００４１】
請求項８記載の電話装置では、送信元の電話装置が送信した、送信先の情報を表す画像を、オフフックの前に表示する。
【００４２】
この構成により、送信先の本電話装置の利用者は、電話にでる前に、間違い電話かどうかを判断できる。
【００４３】
請求項９記載の電話装置では、送信元の電話装置が送信した送信元の情報に基づいて、基地局装置が取得した画像を、オフフックの前に表示する。
【００４４】
この構成により、送信先の本電話装置では、送信元の電話装置が送信先に応じて送信する送信元の任意の情報に基づいて、基地局装置が取得した画像を、オフフック前に表示できる。
【００４５】
その結果、送信先の本電話装置の利用者は、電話にでる前に、通話を行うかどうかの判断をより的確に行うことができる。
【００４６】
請求項１０記載の電話装置では、送信元の電話装置が送信した送信先の情報に基づいて、基地局装置が取得した画像を、オフフックの前に表示する。
【００４７】
この構成により、送信先の本電話装置の利用者は、電話にでる前に、間違い電話かどうかを判断できる。
【００４８】
請求項１１記載の電話装置では、送信元の電話装置が送信した送信元の情報に基づいて、画像を生成する手段を備え、当該画像をオフフックの前に表示する。
【００４９】
この構成により、送信先の本電話装置の利用者は、電話にでる前に、通話を行うかどうかの判断をより的確に行うことができる。
【００５０】
請求項１２記載の電話装置では、送信元の電話装置が送信した送信先の情報に基づいて、画像を生成する手段をさらに備え、当該画像をオフフックの前に表示する。
【００５１】
この構成により、送信先の本電話装置の利用者は、電話にでる前に、間違い電話かどうかを判断できる。
【００５２】
請求項１３記載の電話装置では、送信元の情報を表す画像は、顔画像を含む。この構成により、送信先において、送信元である相手方の認識がさらに容易になる。
【００５３】
請求項１４記載の電話装置では、画像は、顔画像を含む。
この構成により、送信先において、送信元である相手方の認識がさらに容易になる。
【００５４】
請求項１５記載の電話装置では、送信先の電話装置のオフフックの前に、送信元の情報を表す音声を送信する。
【００５５】
この構成により、送信元の情報を表す音声は、送信元の本電話装置から、送信先の電話装置へ送信される。
【００５６】
従って、送信元の本電話装置の利用者は、送信先に応じた、送信元の情報を表す任意の音声を送信できる。しかも、この送信元の情報を表す音声は、送信先の電話装置のオフフック前に送信される。
【００５７】
その結果、送信先の電話装置の利用者は、電話にでる前に、通話を行うかどうかの判断をより的確に行うことができる。
【００５８】
請求項１６記載の電話装置では、送信先の電話装置のオフフックの前に、送信先の情報を表す音声を送信する。
【００５９】
この構成により、送信先の電話装置では、送信元の本電話装置から送信された送信先の情報を表す音声を、オフフック前に出力できる。
【００６０】
その結果、送信先の電話装置の利用者は、電話にでる前に、間違い電話かどうかを判断できる。
【００６１】
請求項１７記載の電話装置では、オフフックの後に、所定の画像を、送信元の電話装置へ送信し、送信元の電話装置との通信を遮断する。
【００６２】
この構成により、送信元である相手方と、会話をすることなく、通信を遮断でき、しかも、所定の画像として、遮断の理由を送信元に通知できる。
【００６３】
請求項１８記載の電話装置では、オフフックの後に、所定の音声を、送信元の電話装置へ送信し、送信元の電話装置との通信を遮断する。
【００６４】
この構成により、送信元である相手方と、会話をすることなく、通信を遮断でき、しかも、所定の音声として、遮断の理由を送信元に通知できる。
【００６５】
請求項１９記載の電話装置では、受信した情報に基づいた音声を送信先の電話装置に送信する基地局装置を介して、送信先の電話装置と通信を行う電話装置であって、送信先の電話装置のオフフックの前に、基地局装置へ、送信元の情報を送信し、送信元の情報は、基地局装置において、音声を取得する基になる。
【００６６】
この構成により、送信元の情報は、送信元の本電話装置から、基地局装置へ送信され、さらに、音声として、送信先の電話装置へ送信される。
【００６７】
従って、送信元の本電話装置の利用者は、送信先に応じた、送信元の任意の情報を送信できる。
【００６８】
これにより、送信先の電話装置では、送信先に応じた、送信元の情報を表す音声を、オフフック前に出力できる。
【００６９】
その結果、送信先の電話装置の利用者は、電話にでる前に、通話を行うかどうかの判断をより的確に行うことができる。
【００７０】
請求項２０記載の基地局装置では、送信元の電話装置が送信した送信元の情報に基づいて画像を取得する手段を備え、取得した画像を、送信先の電話装置のオフフック前に、送信先の電話装置に送信する。
【００７１】
この構成により、送信先の電話装置では、送信元の電話装置が送信先に応じて送信する送信元の任意の情報に基づいて、基地局装置が取得した画像を、オフフック前に表示できる。
【００７２】
その結果、送信先の電話装置の利用者は、電話にでる前に、通話を行うかどうかの判断をより的確に行うことができる。
【００７３】
請求項２１記載の基地局装置では、取得する画像は、顔画像を含む。
この構成により、送信先において、送信元である相手方の認識がさらに容易になる。
【００７４】
請求項２２記載の基地局装置では、送信元の電話装置が送信した送信先の情報に基づいて画像を取得する手段を備え、取得した画像を、送信先の電話装置のオフフック前に、送信先の電話装置に送信する。
【００７５】
この構成により、送信先の電話装置の利用者は、電話にでる前に、間違い電話かどうかを判断できる。
【００７６】
請求項２３記載の基地局装置では、送信元の電話装置が送信した送信元の情報に基づいて音声を取得する手段を備え、取得した音声を、送信先の電話装置のオフフック前に、送信先の電話装置に送信する。
【００７７】
この構成により、送信先の電話装置では、送信元の電話装置が送信先に応じて送信する送信元の任意の情報に基づいて、基地局装置が取得した音声を、オフフック前に出力できる。
【００７８】
その結果、送信先の電話装置の利用者は、電話にでる前に、通話を行うかどうかの判断をより的確に行うことができる。
【００７９】
請求項２４記載の基地局装置では、オフフックの後に送信先の電話装置が送信した遮断要求信号に応じて、所定の画像を、送信元の電話装置へ送信し、送信元の電話装置と送信先の電話装置との通信を遮断する。
【００８０】
この構成により、送信元である相手方と、会話をすることなく、通信を遮断でき、しかも、所定の画像として、遮断の理由を送信元に通知できる。
【００８１】
請求項２５記載の基地局装置では、オフフックの後に送信先の電話装置が送信した遮断要求信号に従って、所定の音声を、送信元の電話装置へ送信し、送信元の電話装置と送信先の電話装置との通信を遮断する。
【００８２】
この構成により、送信元である相手方と、会話をすることなく、通信を遮断でき、しかも、所定の音声として、遮断の理由を送信元に通知できる。
【００８３】
請求項２６記載の通信方法では、送信先の電話装置のオフフックの前に、マルチメディア情報を送信する。
【００８４】
この構成により、マルチメディア情報は、送信元の本電話装置から、送信先の電話装置へ送信される。
【００８５】
従って、送信元の本電話装置の利用者は、送信先に応じたマルチメディア情報を送信できる。しかも、このマルチメディア情報は、送信先の電話装置のオフフック前に送信される。
【００８６】
その結果、送信先の電話装置の利用者は、電話に出る前に、的確な対応をすることができる。
【００８７】
ここで、請求項において、画像の「取得」には、画像の「生成」も含まれる。
【００８８】
また、請求項において、「マルチメディア情報」とは、例えば、静止画像情報、動画像情報、オーディオ情報、音声情報、テキスト情報、若しくは、プログラム、又は、これらの組み合わせ、である。
【００８９】
【発明の実施の形態】
以下、図面を参照して本発明の実施の形態を説明する。
（実施の形態１）
【００９０】
図１は、本発明の実施の形態１における電話装置のブロック図である。この電話装置は、例えば、テレビ電話装置である。また、この電話装置には、ＩＰ電話なども含まれる。
【００９１】
図１に示すように、この電話装置αは、画像入力手段１、文字入力手段２、音声入力手段３、画像表示手段４、音声出力手段５、制御手段６、送信手段７、受信手段８、及び、接続制御手段９、を具備する。
【００９２】
送信手段７は、送信先画像記憶手段７０、送信元画像記憶手段７１、遮断通知画像記憶手段７２、画像合成手段７３、画像符号化手段７４、切替手段７５、多重化手段７６、音声符号化手段７７、切替手段７８、遮断通知音声記憶手段７９、及び、音声記憶手段６９、を含む。
【００９３】
受信手段８は、画像復号化手段８０、音声復号化手段８１、及び、分離手段８２、を含む。
【００９４】
さて、次に、各構成の機能・動作を説明する。
制御手段６は、電話装置αの各構成を制御する。
【００９５】
画像入力手段１は、被写体を撮影し、その光学像を電気信号（画像信号）に変換する。画像入力手段１は、例えば、ＣＣＤ（ｃｈａｒｇｅ　ｃｏｕｐｌｅｄ　ｄｅｖｉｃｅ）カメラである。
【００９６】
文字入力手段２は、文字情報を入力する。文字入力手段２は、例えば、押しボタンスイッチを複数配列したものである。
【００９７】
音声入力手段３は、入力された音声を、電気信号（音声信号）に変換する。音声入力手段３は、例えば、マイクである。
【００９８】
画像表示手段４は、入力された画像信号に対応する画像を表示する。画像表示手段４は、例えば、ＬＣＤ（ｌｉｑｕｉｄ　ｃｒｙｓｔａｌ　ｄｉｓｐｌａｙ）である。
【００９９】
音声出力手段５は、入力された音声信号を音声に変換して外部に出力する。音声出力手段５は、例えば、スピーカである。
【０１００】
接続制御手段９は、制御手段６の指示に従って、送信手段７から入力された情報をネットワーク５０に送出し、あるいは、ネットワーク５０から入力した情報を受信手段８に出力する。
【０１０１】
送信手段７について説明する。
送信先画像記憶手段７０は、送信先の情報を表す画像信号を記憶する。例えば、電話装置αからの送信先となりうる電話装置の利用者の顔画像、氏名及び電話番号を記憶する。
【０１０２】
なお、送信先画像記憶手段７０は、氏名などの文字についても、画像として記憶する。
【０１０３】
送信元画像記憶手段７１は、送信元の情報を表す画像信号を記憶する。例えば、送信元となる電話装置αの利用者の顔画像、氏名及び電話番号を記憶する。
【０１０４】
なお、送信元画像記憶手段７１は、氏名などの文字についても、画像として記憶する。
【０１０５】
遮断通知画像記憶手段７２は、通話を拒否する場合に、その旨を通知するための画像信号（以下、「遮断通知画像」と呼ぶ。）を記憶する。
【０１０６】
例えば、「間違い電話です。こちらの電話番号は、○○○です。」という遮断通知画像を記憶する。
【０１０７】
なお、本実施の形態では、遮断通知画像記憶手段７２は、符号化された遮断通知画像を記憶しているとする。
このため、遮断通知画像の符号化処理が不要となり、処理を簡略化できる。
【０１０８】
音声記憶手段６９は、送信元のみの情報を表す音声信号、送信先のみの情報を表す音声信号、あるいは、送信元及び送信先の情報を表す音声信号、を記憶する。例えば、送信元の電話装置αの利用者の氏名を表す音声を記憶したり、送信先となりうる電話装置の利用者の氏名を表す音声を記憶したり、送信元となる電話装置αの利用者の氏名及び送信先となりうる電話装置の利用者の氏名を表す音声を記憶したりする。
【０１０９】
ここで、送信元のみの情報を表す音声信号、送信先のみの情報を表す音声信号、並びに、送信元及び送信先の情報を表す音声信号、を総括して表現する場合は、「送信元／送信先の情報を表す音声」と表現する。
【０１１０】
遮断通知音声記憶手段７９は、通話を拒否する場合に、その旨を通知するための音声信号（以下、「遮断通知音声」と呼ぶ。）を記憶する。
【０１１１】
例えば、「間違い電話です。こちらの電話番号は、○○○です。」という遮断通知音声を記憶する。
【０１１２】
なお、本実施の形態では、遮断通知音声記憶手段７９は、符号化された遮断通知音声を記憶しているとする。
このため、遮断通知音声の符号化処理が不要となり、処理を簡略化できる。
【０１１３】
画像合成手段７３は、制御手段６の指示に従って、画像入力手段１から入力された画像、送信先画像記憶手段７０から読み出した画像、及び、送信元画像記憶手段７１から読み出した画像、のうちの２つ、あるいは、全て、を合成する。
【０１１４】
画像符号化手段７４は、制御手段６の指示に従って、画像入力手段１から入力された画像、あるいは、画像合成手段７３が生成した合成画像、に対して符号化を施す。
【０１１５】
切替手段７５は、制御手段６の指示に従って、画像符号化手段７４により符号化された画像、あるいは、遮断通知画像記憶手段７２から読み出した画像、のいずれか一方を多重化手段７６に出力する。
【０１１６】
音声符号化手段７７は、制御手段６の指示に従って、音声記憶手段６９から読み出した音声、あるいは、音声入力手段３から入力された音声、に対し符号化を施す。
【０１１７】
切替手段７８は、制御手段６の指示に従って、音声符号化手段７７により符号化された音声、あるいは、遮断通知音声記憶手段７９から読み出した音声、のいずれか一方を多重化手段７６に出力する。
【０１１８】
多重化手段７６は、制御手段６の指示に従って、切替手段７５から入力された符号化画像と、切替手段７８から入力された符号化音声と、を多重化する。
【０１１９】
接続制御手段９は、制御手段６の指示に従って、多重化手段７６により多重化された符号化画像及び符号化音声をネットワーク５０に送出する。
【０１２０】
受信手段８について説明する。
分離手段８２は、制御手段６の指示に従って、接続制御手段９から入力された、多重化された符号化画像信号及び符号化音声信号を分離する。
【０１２１】
画像復号化手段８０は、分離手段８２により分離された符号化画像信号を復号し、画像表示手段４へ出力する。
【０１２２】
音声復号化手段８１は、分離手段８２により分離された符号化音声信号を復号し、音声出力手段５に出力する。
【０１２３】
ここで、送信先画像記憶手段７０、送信元画像記憶手段７１、遮断通知画像記憶手段７２、音声記憶手段６９、及び、遮断通知音声記憶手段７９、については、電話装置αに内蔵することもできるし、また、外部記憶手段として構成して、電話装置αに装着して使用することもできる。
【０１２４】
また、送信先画像記憶手段７０に記憶する送信先の情報を表す画像として、画像入力手段１で撮影した画像、他の画像入力手段で撮影した画像、文字入力手段２で入力した文字情報を表す画像、及び、他の文字入力手段で入力した文字情報を表す画像、等を使用できる。
【０１２５】
また、送信元画像記憶手段７１に記憶する送信元の情報を表す画像として、画像入力手段１で撮影した画像、他の画像入力手段で撮影した画像、文字入力手段２で入力した文字情報を表す画像、及び、他の文字入力手段で入力した文字情報を表す画像、等を使用できる。
【０１２６】
また、遮断通知画像記憶手段７２に記憶する遮断通知画像として、文字入力手段２で入力した文字情報を表す画像、及び、他の文字入力手段で入力した文字情報を表す画像、等を使用できる。
【０１２７】
また、音声記憶手段７１に記憶する送信元／送信先の情報を表す音声として、音声入力手段３から入力した音声、及び、他の音声入力手段から入力した音声、等を使用できる。
【０１２８】
また、遮断通知音声記憶手段７９に記憶する遮断通知音声として、音声入力手段３から入力した音声、及び、他の音声入力手段から入力した音声、等を使用できる。
【０１２９】
さて、次に、全体の処理の流れをフローチャートを用いて説明する。
まず、送信処理について説明する。この場合、電話装置αが送信元（送信側）であるとする。
【０１３０】
図２は、送信処理のフローチャートである。
図２に示すように、ステップＳ１にて、送信元である電話装置αがオフフックされる。
【０１３１】
ステップＳ２にて、文字入力手段２から送信先の電話番号が入力される。
ステップＳ３にて、画像合成手段７３は、制御手段６の指示に従って、送信元の情報を表す画像を、画像入力手段１からのみ、送信元画像記憶手段７１からのみ、あるいは、画像入力手段１及び送信元画像記憶手段７１の双方、から取得する。
【０１３２】
ステップＳ４にて、画像合成手段７３は、制御手段６の指示に従って、送信先の情報を表す画像を、送信先画像記憶手段７０から取得する。
【０１３３】
ステップＳ５にて、画像合成手段７３は、制御手段６の指示に従って、送信元の情報を表す画像と、送信先の情報を表す画像と、を合成し、合成画像を生成する。
【０１３４】
ステップＳ６にて、画像符号化手段７４は、制御手段６の指示に従って、画像合成手段７３が生成した合成画像に対して、符号化を施す。
【０１３５】
そして、切替手段７５は、制御手段６の指示に従って、この符号化した合成画像を多重化手段７６に出力する。
【０１３６】
一方、ステップＳ７にて、音声符号化手段７７は、制御手段６の指示に従って、送信元／送信先の情報を表す音声を音声入力手段３又は音声記憶手段６９から取得する。
【０１３７】
ステップＳ８にて、音声符号化手段７７は、制御手段６の指示に従って、送信元／送信先の情報を表す音声に対して、符号化を施す。
【０１３８】
そして、切替手段７８は、制御手段６の指示に従って、この符号化した送信元／送信先の情報を表す音声を多重化手段７６へ出力する。
【０１３９】
ステップＳ９にて、多重化手段７６は、制御手段６の指示に従って、符号化した合成画像と、符号化した送信元／送信先の情報を表す音声と、を多重化して、多重化信号として、接続制御手段９へ出力する。
【０１４０】
ステップＳ１０にて、接続制御手段９は、制御手段６の指示に従って、この多重化信号をネットワーク５０へ送出する。
【０１４１】
そして、この多重化信号は、ネットワーク５０を介して、送信先の電話装置へ送信され、所定の処理が施されて、送信先の電話装置のオフフック前に、送信先の電話装置に表示される。この受信処理については後で詳しく説明する。
【０１４２】
ステップＳ１１にて、ネットワーク５０に接続された送信先の電話装置が、オフフックされれば、ステップＳ１２にて、通話を開始することができる。
【０１４３】
この後は、画像符号化手段７４は、制御手段６の指示に従って、画像入力手段１から入力される画像に対して符号化を施す。
【０１４４】
そして、切替手段７５は、制御手段６の指示に従って、この符号化画像を多重化手段７６に出力する。
【０１４５】
一方、音声符号化手段７７は、制御手段６の指示に従って、音声入力手段３から入力される音声に対して符号化を施す。
【０１４６】
そして、切替手段７８は、制御手段６の指示に従って、符号化音声を多重化手段７６に出力する。
【０１４７】
多重化手段７６は、符号化画像と符号化音声とを多重化して、多重化信号として、接続制御手段９へ出力する。そして、接続制御手段９は、多重化信号をネットワーク５０に送出する。
【０１４８】
さて、一方、ステップＳ１２にて、送信先の電話装置が、オンフックのままであれば、通話を行うことができない。
【０１４９】
ここで、ステップＳ３及びステップＳ４の処理の順番は、これに限定されるものではなく、また、並列処理することもできる。
【０１５０】
また、ステップＳ３からステップＳ６の処理、及び、ステップＳ７，Ｓ８の処理、の順番はこれに限定されるものではなく、また、並列処理することもできる。
【０１５１】
また、ステップＳ１のオフフックは、ステップＳ１０の送出前に行えばよく、図２の順番に限定されない。
【０１５２】
次に、受信処理について説明する。この場合、電話装置αが送信先（受信側）であるとする。
図３は、受信処理のフローチャートである。
【０１５３】
図３に示すように、ステップＳ２１にて、接続制御手段９は、ネットワーク５０に接続された送信元である電話装置から送信された多重化信号を受信する。
【０１５４】
この多重化信号は、送信元の情報を表す画像と送信先の情報を表す画像との合成画像、及び、送信元／送信先の情報を表す音声、を多重化した信号である。
【０１５５】
ステップＳ２２にて、分離手段８２は、制御手段６の指示に従って、多重化信号を、送信元の情報を表す画像と送信先の情報を表す画像との合成画像と、送信元／送信先の情報を表す音声と、に分離する。
【０１５６】
ステップＳ２３にて、画像復号化手段８０は、制御手段６の指示に従って、分離手段８２が分離した合成画像を復号する。
【０１５７】
一方、音声復号化手段８１は、制御手段６の指示に従って、分離手段８２が分離した送信元／送信先の情報を表す音声を復号する。
【０１５８】
ステップＳ２４にて、制御手段６の指示に従って、音声出力手段５から、呼び出し音が鳴らされる。
【０１５９】
ステップＳ２５にて、画像表示手段４は、制御手段６の指示に従って、復号された、送信元の情報を表す画像と送信先の情報を表す画像との合成画像を表示する。
【０１６０】
ステップＳ２６にて、音声出力手段５は、制御手段６の指示に従って、復号された、送信元／送信先の情報を表す音声を出力する。
【０１６１】
ステップＳ２７にて、送信先となっている電話装置αがオフフックされて、制御手段６により、通話開始の指示が出された場合は、ステップＳ２８にて、通話を開始することができる。
【０１６２】
この後は、ネットワーク５０に接続された送信元の電話装置が送信する画像は、接続制御手段９、分離手段８２、及び、画像復号化手段８０、を介して、画像表示手段４に表示され、ネットワーク５０に接続された送信元の電話装置が送信する音声は、接続制御手段９、分離手段８２、及び、音声復号化手段８１、を介して、音声出力手段５から出力される。
【０１６３】
一方、ステップＳ２７にて、制御手段６により、遮断の指示が出された場合は、ステップＳ２９にて、遮断処理が実行される。
【０１６４】
図４は、図３のステップＳ２９における遮断処理のフローチャートである。
図４に示すように、ステップＳ２９１にて、多重化手段７６は、制御手段６の指示に従って、切替手段７５を介して、遮断通知画像記憶手段７２から、符号化された遮断通知画像を取得する。
【０１６５】
ステップＳ２９２にて、多重化手段７６は、制御手段６の指示に従って、切替手段７８を介して、遮断通知音声記憶手段７９から、符号化された遮断通知音声を取得する。
【０１６６】
ステップＳ２９３にて、多重化手段７６は、制御手段６の指示に従って、符号化遮断通知画像と符号化遮断通知音声とを多重化し、多重化信号として、接続制御手段９に出力する。
【０１６７】
ステップＳ２９４にて、電話装置αはオフフックされ、接続制御手段９は、制御手段６の指示に従って、この多重化信号をネットワーク５０に送出する。これにより、送信元の電話装置には、遮断通知画像が表示され、送信元の電話装置の利用者は、遮断の理由などを知ることができる。
ステップＳ２９５にて、電話装置αがオンフックされ、通信が遮断される。
【０１６８】
ここで、図３のステップＳ２５及びステップＳ２６の処理の順番は、これに限定されるものではなく、また、並列処理することもできる。
【０１６９】
また、呼び出し音を鳴らすのは、図３のステップＳ２３の後に限られず、受信後であればよい。
【０１７０】
また、図４のステップＳ２９１及びステップＳ２９２の処理の順番は、これに限定されるものではなく、また、並列処理することもできる。
【０１７１】
さて、次に、送信元の情報を表す画像及び送信先の情報を表す画像の具体例を説明する。
【０１７２】
図５（ａ）は、送信先の情報を表す画像の例示図である。図５（ａ）では、送信先の情報を表す画像として、送信先の電話装置の利用者の顔画像と、送信先の電話装置の利用者の氏名を表す画像と、を例示している。
【０１７３】
このような、送信先の情報を表す画像は、送信先画像記憶手段７０に記憶されている。
【０１７４】
図５（ｂ）は、送信元の情報を表す第１の画像の例示図である。図５（ｂ）では、送信元の情報を表す第１の画像として、送信元の電話装置の利用者の顔画像を例示している。
【０１７５】
このような、送信元の情報を表す第１の画像は、送信元画像記憶手段７１に記憶されている。あるいは、送信元の情報を表す第１の画像として、画像入力手段１から入力した画像を使用することもできる。
【０１７６】
図５（ｃ）は、送信元の情報を表す第２の画像の例示図である。図５（ｃ）では、送信元の情報を表す第２の画像として、送信元の電話装置の利用者の氏名等を表す画像を例示している。
【０１７７】
このような、送信元の情報を表す第２の画像は、送信元画像記憶手段７１に記憶されている。
【０１７８】
図５（ｄ）は、画像合成手段７３による合成画像の例示図である。図５（ｄ）では、図５（ａ）の送信先の情報を表す画像と、図５（ｂ）の送信元の情報を表す第１の画像と、図５（ｃ）の送信元の情報を表す第２の画像と、を合成した画像を表している。
【０１７９】
図５（ｄ）に示す送信元及び送信先を表す合成画像が、送信先の電話装置のオフフックの前に、送信先の電話装置に表示されることになる。
【０１８０】
さて、次に、図１の電話装置αがチップ上でどのように構成されるかを例示する。
【０１８１】
図６は、チップ構成の例示図である。図６に示すように、このチップＣには、メモリＣ１、プロセッサＣ２、バスＣ３、外部入力インタフェース（外部入力Ｉ／Ｆ）Ｃ４、画像入力インタフェース（画像入力Ｉ／Ｆ）Ｃ５、画像出力インタフェース（画像出力Ｉ／Ｆ）Ｃ６、音声入力インタフェース（音声入力Ｉ／Ｆ）Ｃ７、音声出力インタフェース（音声出力Ｉ／Ｆ）Ｃ８、及び、ネットワークインタフェース（ネットワークＩ／Ｆ）Ｃ９、が形成される。
【０１８２】
外部入力インタフェースＣ４には、入力キーから入力された情報が入力される。
画像入力インタフェースＣ５には、カメラ６００から入力された画像信号が入力される。
【０１８３】
画像出力インタフェースＣ６からは、ディスプレイ７００に画像信号が出力される。
音声入力インタフェースＣ７には、マイク８００から入力された音声信号が入力される。
【０１８４】
音声出力インタフェースＣ８からは、スピーカ９００に音声信号が出力される。
ネットワークインタフェースＣ９は、通信デバイス１０００との間で、情報の入出力を行う。
【０１８５】
さて、メモリＣ１は、図１の送信先画像記憶手段７０、送信元画像記憶手段７１、遮断通知画像記憶手段７２、音声記憶手段６９、及び、遮断通知音声記憶手段７９、として機能する。
【０１８６】
プロセッサＣ２は、図１の画像合成手段７３、画像符号化手段７４、多重化手段７６、音声符号化手段７７、切替手段７５、７８、画像復号化手段８０、音声復号化手段８１、分離手段８２、接続制御手段９、及び、制御手段６、として機能する。
【０１８７】
入力キー５００は、図１の文字入力手段２の一例である。カメラ６００は、図１の画像入力手段１の一例である。
【０１８８】
ディスプレイ７００は、図１の画像表示手段４の一例である。マイク８００は、図１の音声入力手段３の一例である。スピーカ９００は、図１の音声出力手段５の一例である。
【０１８９】
なお、図６の例では、メモリＣ１については、オンチップとなっているが、チップＣにメモリインタフェースを装備して、チップＣの外部に設けることもできる。
【０１９０】
さて、以上のように、本実施の形態では、送信元の電話装置は、送信先の電話装置のオフフックの前に、送信先の電話装置に、送信元の情報を表す画像及び音声を送信する。
【０１９１】
このため、送信先の電話装置では、送信元の電話装置が送信する、送信元の情報を表す画像を、オフフック前に表示できる。しかも、送信元の電話装置が送信元の情報を表す画像を送信するので（従来のように、基地局装置に予め登録した情報を送信するのではないので）、送信元の電話装置の利用者は、送信先に応じて、送信元の情報を表す画像の内容を適宜変更して送信できる。さらに、送信先の電話装置では、送信元の電話装置が送信する、送信元の情報を表す音声を、オフフック前に出力できる。
【０１９２】
その結果、送信先の電話装置の利用者は、電話にでる前に、通話を行うかどうかの判断をより的確に行うことができる。
【０１９３】
また、本実施の形態では、送信元の電話装置は、送信元の情報を表す画像を送信するので、文字情報（キャラクタコード）を送信する場合と比較して、送信元の情報の表現の自由度が大きい。同様に、送信先の情報の表現の自由度も大きい。
【０１９４】
さらに、本実施の形態では、送信元の電話装置は、送信先の電話装置のオフフックの前に、送信元の情報を表す画像及び音声に加えて、送信先の情報を表す画像及び音声を送信することもできる。
【０１９５】
従って、送信先の電話装置では、送信元の電話装置から送信された送信先の情報を表す画像及び音声をも、オフフック前に表示及び出力できる。
【０１９６】
その結果、送信先の電話装置の利用者は、電話にでる前に、間違い電話かどうかを判断できる。
【０１９７】
さらに、本実施の形態では、送信元の電話装置が送信する送信元の情報を表す画像には、送信元の電話装置の利用者の顔画像を含ませることができる。
その結果、送信先において、送信元である相手方の認識がさらに容易になる。
さらに、本実施の形態では、送信先の電話装置は、通話を拒否する場合は、オフフックの後に、遮断通知画像及び遮断通知音声を、送信元の電話装置へ送信し、送信元の電話装置との通信を遮断する。
【０１９８】
その結果、送信元である相手方と、会話をすることなく、通信を遮断でき、しかも、遮断通知画像及び遮断通知音声として、遮断の理由を送信元に通知できる。
【０１９９】
なお、上記の説明では、送信先の情報を表す画像と送信元の情報を表す画像との合成画像と、送信元／送信先の情報を表す音声と、をネットワーク５０を介して、送信先の電話装置に送信している。
【０２００】
ただし、送信先の電話装置のオフフック前に、少なくとも、送信元の情報を表す画像、あるいは、送信元の情報を表す音声を、送信先の電話装置に送信することで、送信先の電話装置の利用者は、電話にでる前に、通話を行うかどうかの判断を的確に行うことができる。
【０２０１】
さて、上記では、送信元の電話装置が、送信先の電話装置のオフフック前に送信する情報は、画像として説明した。
【０２０２】
ただし、画像は、マルチメディア情報の一例であり、送信元の電話装置は、送信先の電話装置のオフフックの前に、様々なマルチメディア情報を送信することもできる。
【０２０３】
このため、送信先の電話装置では、送信元の電話装置が送信するマルチメディア情報に基づく情報を、オフフック前に表示できる。しかも、この場合、基地局装置に予め登録した情報を送信するのではないので、送信元の電話装置の利用者は、送信先に応じて、送信する情報の内容を適宜変更して送信できる。
【０２０４】
その結果、送信先の電話装置の利用者は、電話に出る前に、的確な対応をすることができる。
【０２０５】
送信先の電話装置のオフフックの前に送信する「マルチメディア情報」としては、例えば、静止画像情報、動画像情報、オーディオ情報、音声情報、テキスト情報、若しくは、プログラム、又は、これらの組み合わせ、がある。
【０２０６】
静止画像情報としては、例えば、ＪＰＥＧ（Ｊｏｉｎｔ　Ｐｈｏｔｏｇｒａｐｈｉｃ　Ｅｘｐｅｒｔｓ　Ｇｒｏｕｐ）データ、ＧＩＦ（Ｇｒａｐｈｉｃｓ　Ｉｎｔｅｒｃｈａｎｇｅ　Ｆｏｒｍａｔ）データ、ＰＮＧ（Ｐｏｒｔａｂｌｅ　Ｎｅｔｗｏｒｋ　Ｇｒａｐｈｉｃｓ）データ、圧縮されていない生のＲＧＢデータ、などがある。
【０２０７】
動画像情報としては、例えば、ＭＰＥＧ（Ｍｏｖｉｎｇ　Ｐｉｃｔｕｒｅ　Ｅｘｐｅｒｔｓ　Ｇｒｏｕｐ）データ、などがある。
【０２０８】
オーディオ情報としては、例えば、３２ｋＨｚ、４４．１ｋＨｚ、４８ｋＨｚ、などサンプリング周波数が高いデータ、などがある。
【０２０９】
音声情報としては、例えば、２０ｋＨｚまでのサンプリング周波数が低いデータ、などがある。
【０２１０】
テキスト情報としては、例えば、通常テキストデータ、ＨＴＭＬ（ＨｙｐｅｒＴｅｘｔ　Ｍａｒｋｕｐ　Ｌａｎｇｕａｇｅ）データ、ＸＭＬ（Ｅｘｔｅｎｓｉｂｌｅ　Ｍａｒｋｕｐ　Ｌａｎｇｕａｇｅ）データ、などがある。
【０２１１】
プログラムとしては、例えば、Ｊａｖａ（登録商標）プログラム、などがある。なお、プログラムは、静止画像情報、動画像情報、オーディオ情報、音声情報、テキスト情報、などを、生成、加工、複合することが可能であるため、マルチメディア情報の一種と言える。
【０２１２】
ここで、マルチメディアとは、一般に、コンピュータで、映像、音声、文字などのメディアを複合して、一元的に扱うことをいう。
【０２１３】
（実施の形態２）
図７は、本発明の実施の形態２における通信システムのブロック図である。図７に示すように、この通信システムは、電話装置β１、β２、及び、基地局装置２００、を具備する。
【０２１４】
電話装置β１は、ネットワーク５１に接続される。基地局装置２００は、ネットワーク５１、５２に接続される。電話装置β２は、ネットワーク５２に接続される。
【０２１５】
電話装置β１と電話装置β２とは、基地局装置２００及びネットワーク５１、５２を介して、通信を行う。電話装置β１、β２は、例えば、テレビ電話装置である。また、この電話装置β１、β２には、ＩＰ電話なども含まれる。
【０２１６】
図８は、図７の電話装置β１のブロック図である。なお、図８において、図１と同様の部分については、同一の符号を付して説明を適宜省略する。
【０２１７】
図８に示すように、この電話装置β１は、図１の電話装置αの送信手段７に代えて、送信手段１０を設け、図１の電話装置αの制御手段６に代えて、制御手段１１を設けたものである。
【０２１８】
この送信手段１０は、送信元情報記憶手段１００、送信先情報記憶手段１０１、遮断要求信号生成手段１０２、送信元画像記憶手段１０３、画像符号化手段７４、多重化手段７６、及び、音声符号化手段７７、を含む。
【０２１９】
なお、図７の電話装置β２の構成は、図８の電話装置β１の構成と同様である。
【０２２０】
さて、次に、実施の形態１と異なる点を中心に、各構成の機能・動作を説明する。
制御手段１１は、電話装置β１の各構成を制御する。
【０２２１】
送信手段１０の送信元画像記憶手段１０３は、送信元の情報を表す画像信号を記憶する。例えば、送信元となる電話装置β１の利用者の顔画像を記憶する。
【０２２２】
送信手段１０の画像符号化手段７４は、制御手段１１の指示に従って、画像入力手段１から入力された画像、あるいは、送信元画像記憶手段１０３から読み出した画像、に対して符号化を施す。
【０２２３】
送信手段１０の送信元情報記憶手段１００は、送信元の情報を記憶する。例えば、送信元となる電話装置β１の電話番号を表す情報（キャラクタコード）を記憶する。
【０２２４】
送信手段１０の送信先情報記憶手段１０１は、送信先の情報を記憶する。例えば、電話装置β１からの送信先となりうる電話装置の利用者の氏名及び電話番号を表す情報（キャラクタコード）を記憶する。
【０２２５】
遮断要求信号生成手段１０２は、通話を拒否する場合に、遮断要求信号を生成する。
【０２２６】
音声符号化手段７７は、制御手段１１の指示に従って、音声入力手段３から入力された音声、に対し符号化を施す。
【０２２７】
多重化手段７６は、制御手段１１の指示に従って、送信先の電話装置のオフフック前は、画像符号化手段７４が符号化した符号化画像と、送信元情報記憶手段１００から読み出した情報と、送信先情報記憶手段１０１から読み出した情報と、を多重化する。
【０２２８】
また、多重化手段７６は、制御手段１１の指示に従って、送信先の電話装置のオフフック後は、画像符号化手段７４が符号化した符号化画像と、音声符号化手段７７が符号化した符号化音声と、を多重化する。
【０２２９】
接続制御手段９は、制御手段１１の指示に従って、多重化手段７６による多重化信号をネットワーク５０に送出する。
【０２３０】
ここで、送信先情報記憶手段１０１、送信元情報記憶手段１００、及び、送信元画像記憶手段１０３、については、電話装置β１に内蔵することもできるし、また、外部記憶手段として構成して、電話装置β１に装着して使用することもできる。
【０２３１】
また、送信先情報記憶手段１０１に記憶する送信先の情報として、文字入力手段２で入力した文字情報、及び、他の文字入力手段で入力した文字情報、等を使用できる。
【０２３２】
また、送信元情報記憶手段１００に記憶する送信元の情報として、文字入力手段２で入力した文字情報、及び、他の文字入力手段で入力した文字情報、等を使用できる。
【０２３３】
また、送信元画像記憶手段１０３に記憶する送信元の情報を表す画像として、画像入力手段１で入力した画像、及び、他の画像入力手段で入力した画像、等を使用できる。
【０２３４】
さて、次に、送信処理の流れを説明する。この場合、電話装置β１が送信元（送信側）であり、電話装置β２が送信先（受信側）であるとする。
【０２３５】
図９は、送信処理のフローチャートである。
図２に示すように、ステップＳ４１にて、送信元である電話装置β１がオフフックされる。
【０２３６】
ステップＳ４２にて、文字入力手段２から送信先の電話番号が入力される。
ステップＳ４３にて、画像符号化手段７４は、制御手段１１の指示に従って、送信元の情報を表す画像を、画像入力手段１、又は、送信元画像記憶手段１０３、から取得する。
【０２３７】
ステップＳ４４にて、画像符号化手段７４は、取得した送信元の情報を表す画像に対して、符号化処理を施す。
【０２３８】
ステップＳ４５にて、多重化手段７６は、制御手段１１の指示に従って、送信元の情報を、送信元情報記憶手段１００から取得する。
【０２３９】
ステップＳ４６にて、多重化手段７６は、制御手段１１の指示に従って、送信先の情報を、送信先情報記憶手段１０１から取得する。
【０２４０】
ステップＳ４７にて、多重化手段７６は、制御手段１１の指示に従って、符号化した送信元の情報を表す画像と、送信元の情報と、送信先の情報と、を多重化して、多重化信号として、接続制御手段９へ出力する。
【０２４１】
ステップＳ４８にて、接続制御手段９は、制御手段１１の指示に従って、この多重化信号をネットワーク５１へ送出する。
【０２４２】
そして、図７に示すように、ネットワーク５１に接続された基地局装置２００により、この多重化信号は所定の処理が施されて、異なる多重化信号として、ネットワーク５２へ送出され、送信先の電話装置β２に送信される。基地局装置２００による処理については、後で詳しく説明する。
【０２４３】
さて、再び、図９の説明に戻る。ステップＳ４９にて、ネットワーク５２に接続された送信先の電話装置β２が、オフフックされれば、ステップＳ５０にて、通話を開始することができる。
【０２４４】
この後は、画像符号化手段７４は、制御手段１１の指示に従って、画像入力手段１から入力される画像に対して符号化を施す。
【０２４５】
一方、音声符号化手段７７は、制御手段１１の指示に従って、音声入力手段３から入力される音声に対して符号化を施す。
【０２４６】
そして、多重化手段７６は、符号化画像と符号化音声とを多重化して、多重化信号として、接続制御手段９へ出力する。そして、接続制御手段９は、多重化信号をネットワーク５１に送出する。
【０２４７】
さて、一方、ステップＳ４９にて、送信先の電話装置β２が、オンフックのままであれば、通話を行うことができない。
【０２４８】
ここで、ステップＳ４３，Ｓ４４、ステップ４５、及び、ステップＳ４６の処理の順番は、これに限定されるものではなく、また、並列処理することもできる。
【０２４９】
また、ステップＳ４１のオフフックは、ステップＳ４８の送出前に行えばよく、図９の順番に限定されない。
【０２５０】
さて、次に、受信処理の流れを説明する。この場合、電話装置β１が送信先（受信側）であるとする。
【０２５１】
電話装置β１の受信処理の流れは、図３に示した実施の形態１の受信処理と同様である。
【０２５２】
ただし、遮断処理は、図３に示した実施の形態１のステップＳ２９における処理と異なる。
【０２５３】
図１０は、実施の形態２における遮断処理のフローチャートである。
図１０に示すように、ステップＳ２９１にて、遮断要求信号生成手段１０２は、制御手段１１の指示に従って、遮断要求信号を生成し、接続制御手段９に出力する。
【０２５４】
ステップＳ２９２にて、電話装置β１はオフフックされ、接続制御手段９は、制御手段１１の指示に従って、この遮断要求信号をネットワーク５１に送出する。
【０２５５】
そして、基地局装置２００は、この遮断要求信号を受けて、送信元の電話装置に、遮断通知画像及び遮断通知音声を送信する。この点は、後で詳しく説明する。
【０２５６】
そして、送信元の電話装置では、遮断通知画像が表示され、遮断通知音声が出力されるので、送信元の電話装置の利用者は、遮断の理由などを知ることができる。
ステップＳ２９３にて、電話装置β１がオンフックされ、通信が遮断される。
【０２５７】
さて、次に、図７の基地局装置２００について説明する。
図１１は、図７の基地局装置２００のブロック図である。図１１に示すように、この基地局装置２００は、接続制御手段２０、分離手段２１、送信先情報記憶手段２２、画像生成手段２３、画像復号化手段２４、送信元情報記憶手段２５、画像データベース２６、画像合成手段２７、画像符号化手段２８、符号化音声データベース２９、遮断通知画像記憶手段３０、遮断通知音声記憶手段３１、多重化手段３２、接続制御手段３３、及び、制御手段３４、を具備する。
【０２５８】
さて、次に、各構成の機能・動作を説明する。
接続制御手段２０は、受信した信号が、図８の多重化手段７６により生成された多重化信号である場合は、制御手段３４の指示に従って、受信した多重化信号を分離手段２１に与える。
【０２５９】
また、接続制御手段２０は、受信した信号が、図８の遮断要求信号生成手段１０２が生成した遮断要求信号である場合は、その信号を制御手段３４に出力する。
【０２６０】
分離手段２１は、制御手段３４の指示に従って、接続制御手段２０から与えられた多重化信号を、符号化された送信元の情報を表す画像と、送信元の情報と、送信先の情報と、に分離する。
【０２６１】
送信先情報記憶手段２２は、制御手段３４の指示に従って、分離手段２１により分離された送信先の情報を記憶する。
【０２６２】
画像生成手段２３は、制御手段３４の指示に従って、送信先情報記憶手段２２に記憶された送信先の情報に基づいた画像を生成する。
【０２６３】
例えば、送信先の情報が、送信先の電話装置の利用者の氏名を表す情報（キャラクタコード）である場合は、送信先の電話装置の利用者の氏名を表す画像（例えば、「○○さん」なる画像）を生成する。
【０２６４】
画像復号化手段２４は、制御手段３４の指示に従って、分離手段２１により分離された、符合された送信元の情報を表す画像を復号する。
【０２６５】
例えば、送信元の情報を表す画像が、送信元の電話装置の利用者の顔画像である場合は、符号化された当該顔画像を復号する。
【０２６６】
画像データベース２６には、送信元の情報と、送信元の情報を表す画像と、が関連づけて格納されている。
【０２６７】
この送信元の情報は、送信元情報記憶手段２５に記憶される送信元の情報に対応した情報である。
【０２６８】
例えば、送信元情報記憶手段２５に記憶される送信元の情報が、送信元の電話装置の電話番号である場合は、画像データベース２６には、送信元の電話装置の電話番号と、送信元の情報を表す画像と、が関連づけられて格納されている。
【０２６９】
送信元の情報を表す画像としては、例えば、送信元の電話装置の利用者の氏名を表す画像（例えば、「○○です」なる画像）、送信元の電話装置の電話番号を表す画像（例えば、「○○○−○○○−○○○○」なる画像）、などである。
【０２７０】
このような画像データベース２６は、制御手段３４の指示に従って、送信元情報記憶手段２５に記憶された送信元の情報に対応する、送信元の情報を表す画像を検索する。
【０２７１】
画像合成手段２７は、制御手段３４の指示に従って、画像データベース２６から、送信元情報記憶手段２５に記憶された送信元の情報に対応する送信元の情報を表す画像を取得する。
【０２７２】
また、画像合成手段２７は、制御手段３４の指示に従って、画像生成手段２３から、送信先の情報を表す画像を取得する。
【０２７３】
さらに、画像合成手段２７は、制御手段３４の指示に従って、画像復号化手段２４により復号化された送信元の情報を表す画像を取得する。
【０２７４】
そして、画像合成手段２７は、制御手段３４の指示に従って、画像生成手段２３から取得した送信先の情報を表す画像と、画像復号化段２４から取得した送信元の情報を表す画像と、画像データベース２６から取得した送信元の情報を表す画像と、を合成し、合成画像を生成する。
【０２７５】
画像符号化手段２８は、制御手段３４の指示に従って、画像合成手段２７が生成した合成画像に対して、符号化を施す。
【０２７６】
符号化音声データベース２９には、送信元の情報と、符号化が施された送信元の情報を表す音声と、が関連づけて格納されている。
【０２７７】
この送信元の情報は、送信元情報記憶手段２５に記憶される送信元の情報に対応した情報である。
【０２７８】
例えば、送信元情報記憶手段２５に記憶される送信元の情報が、送信元の電話装置の電話番号である場合は、符号化音声データベース２６には、送信元の電話装置の電話番号と、送信元の情報を表す音声と、が関連づけられて格納されている。
【０２７９】
送信元の情報を表す音声としては、例えば、送信元の電話装置の利用者の氏名を表す音声である。
【０２８０】
このような符号化音声データベース２９は、制御手段３４の指示に従って、送信元情報記憶手段２５に記憶された送信元の情報に対応する、送信元の情報を表す音声を検索する。
【０２８１】
なお、符号化音声データベース２９には、既に符号化された音声が格納されているため、送信元の情報を表す音声を符号化するための機能は不要となり、構成を簡略化できる。
【０２８２】
遮断通知画像記憶手段３０は、送信先（受信側）が通話を拒否する場合に、その旨を通知するための画像（以下、「遮断通知画像」と呼ぶ。）を記憶する。
【０２８３】
例えば、「間違い電話です。こちらの電話番号は、○○○です。」という遮断通知画像を記憶する。
【０２８４】
なお、本実施の形態では、遮断通知画像記憶手段３０は、符号化された遮断通知画像を記憶しているとする。従って、遮断通知画像を符号化するための機能が不要となり、構成を簡略化できる。
【０２８５】
遮断通知音声記憶手段３１は、通話を拒否する場合に、その旨を通知するための音声（以下、「遮断通知音声」と呼ぶ。）を記憶する。
【０２８６】
例えば、「間違い電話です。こちらの電話番号は、○○○です。」という遮断通知音声を記憶する。
【０２８７】
なお、本実施の形態では、遮断通知音声記憶手段３１は、符号化された遮断通知音声を記憶しているとする。従って、遮断通知音声を符号化するための機能が不要となり、構成を簡略化できる。
【０２８８】
多重化手段３２は、制御手段３４の指示に従って、画像符号化手段２８により符号化された合成画像と、符号化音声データベース２９から取得した符号化された送信元の情報を表す音声と、を多重化し、多重化信号を生成する。
【０２８９】
また、多重化手段３２は、遮断要求信号を受けた制御手段３４の指示に従って、遮断通知画像記憶手段３０に記憶された遮断通知画像と、遮断通知音声記憶手段３１に記憶された遮断通知音声と、を多重化し、多重化信号を生成する。
【０２９０】
接続制御手段３３は、多重化手段３２が生成した多重化信号をネットワーク５２に送出する。
【０２９１】
さて、ネットワーク５１に接続された電話装置とネットワーク５２に接続された電話装置との双方がオフフックされ、通話が開始される場合は、接続制御手段２０がネットワーク５１から受信した信号は、接続制御手段３３に出力され、接続制御手段３３は、入力された信号をネットワーク５２に出力する。
【０２９２】
また、この場合に、接続制御手段３３がネットワーク５２から受信した信号は、接続制御手段２０に出力され、接続制御手段２０は、入力された信号をネットワーク５１に出力する。
【０２９３】
さて、次に、基地局装置２００における処理の流れをフローチャートを用いて説明する。
【０２９４】
まず、通話が開始される前の処理（図９のステップＳ４７にて、図８の多重化手段７６により生成された多重化信号の処理）について説明する。
【０２９５】
なお、この多重化信号は、上述したように、送信元の情報を表す画像と、送信元の情報と、送信先の情報と、を多重化したものである。
【０２９６】
また、電話装置β１を送信元とし、電話装置β２を送信先とする。
【０２９７】
図１２は、通話開始前の基地局装置２００における処理のフローチャートである。
【０２９８】
図１２に示すように、ステップＳ６１にて、接続制御手段２０は、送信元の電話装置β１が送信した多重化信号を、ネットワーク５１から受信し、制御手段３４の指示に従って、分離手段２１に出力するする。
【０２９９】
ステップＳ６２にて、分離手段２１は、制御手段３４の指示に従って、入力した多重化信号を、送信先の情報と、符号化された送信元の情報を表す画像と、送信元の情報と、に分離する。
【０３００】
この送信先の情報は、送信先情報記憶手段２２に与えられ、記憶される。この符号化された送信元の情報を表す画像は、画像復号化手段２４に与えられる。この送信元の情報は、送信元情報記憶手段２５に与えられる。
【０３０１】
ステップＳ６３にて、画像復号化手段２４は、、制御手段３４の指示に従って、符号化された送信元の情報を表す画像に対して、復号化処理を施す。
【０３０２】
ステップＳ６４にて、画像データベース２６は、制御手段３４の指示に従って、送信元情報記憶手段２５に記憶された送信元の情報に対応する送信元の情報を表す画像を検索する。
【０３０３】
ステップＳ６５にて、画像生成手段２３は、制御手段３４の指示に従って、送信先情報記憶手段２２に記憶された送信先の情報に基づいた、送信先の情報を表す画像を生成する。
【０３０４】
ステップＳ６６にて、画像合成手段２７は、制御手段３４の指示に従って、画像データベース２６が検索した送信元の情報を表す画像と、画像復号化手段２４が復号した送信元の情報を表す画像と、画像生成手段２３が生成した送信先の情報を表す画像と、を合成し、合成画像を生成する。
【０３０５】
ステップＳ６７にて、符号化音声データベース２９は、制御手段３４の指示に従って、送信元情報記憶手段２５が記憶している送信元の情報に対応した、符号化された送信元の情報を表す音声を検索する。
【０３０６】
ステップＳ６８にて、多重化手段３２は、制御手段３４の指示に従って、画像符号化手段２８が符号化した合成画像と、符号化音声データベース２９が検索した音声と、を多重化し、多重化信号を生成する。
【０３０７】
ステップＳ６９にて、接続制御手段３３は、制御手段３４の指示に従って、多重化信号を、ネットワーク５２に送出する。
【０３０８】
以上のようにして、基地局装置２００は、通話開始前の処理を行う。これにより、送信先の電話装置β２では、オフフック前に、送信先及び送信元の情報を表す画像を表示でき、また、送信元の情報を表す音声を出力できる。
【０３０９】
その後、送信先の電話装置β２がオフフックされれば、基地局装置２００を介して、電話装置β１と電話装置β２との間で通話を行うことができる。
【０３１０】
ここで、図１２のステップＳ６３、ステップＳ６４、及び、ステップＳ６５、の処理の順番は、これに限定されるものではなく、また、並列処理することもできる。
【０３１１】
また、図１２のステップＳ６３からステップＳ６６の処理、及び、ステップＳ６７の処理、の順番は、これに限定されるものではなく、また、並列処理することもできる。
【０３１２】
さて、次に、基地局装置２００が遮断要求信号を受信した場合の処理の流れについて説明する。
【０３１３】
この場合、電話装置β２が電話装置β１に電話をかけ、電話装置β１が遮断要求信号を、基地局装置２００に送信したとする。
【０３１４】
図１３は、基地局装置２００における遮断処理のフローチャートである。
図１３に示すように、ステップＳ８１にて、接続制御手段２０は、電話装置β１が送信した遮断要求信号を、ネットワーク５１から受信し、制御手段３４に与える。
【０３１５】
ステップＳ８２にて、多重化手段３２は、遮断要求信号を受けた制御手段３４の指示に従って、遮断通知画像記憶手段３０から、遮断通知画像を取得する。
【０３１６】
ステップＳ８３にて、多重化手段３２は、遮断要求信号を受けた制御手段３４の指示に従って、遮断通知音声記憶手段３１から、遮断通知音声を取得する。
【０３１７】
ステップＳ８４にて、多重化手段３２は、制御手段３４の指示に従って、遮断通知画像と、遮断通知音声と、を多重化し、多重化信号を生成する。
【０３１８】
ステップＳ８５にて、接続制御手段３３は、この多重化信号を、ネットワーク５２に送出する。
【０３１９】
この多重化信号を受信した電話装置β２では、遮断通知画像を表示でき、遮断通知音声を出力できるので、電話装置β２の利用者は、遮断の理由などを知ることができる。
【０３２０】
ステップＳ８６にて、制御手段３４は、電話装置β１と電話装置β２との間の通信を遮断する。
【０３２１】
ここで、図１３のステップＳ８２、及び、ステップＳ８３、の処理の順番は、これに限定されるものではなく、また、並列処理することもできる。
【０３２２】
さて、次に、図６を用いて、図８の電話装置β１がチップ上でどのように構成されるかを例示する。
【０３２３】
メモリＣ１は、図８の送信先情報記憶手段１０１、送信元情報記憶手段１００、及び、送信元画像記憶手段１０３、として機能する。
【０３２４】
プロセッサＣ２は、図８の画像符号化手段７４、多重化手段７６、音声符号化手段７７、遮断要求信号生成手段１０２、画像復号化手段８０、音声復号化手段８１、分離手段８２、接続制御手段９、及び、制御手段１１、として機能する。
【０３２５】
入力キー５００は、図８の文字入力手段２の一例である。カメラ６００は、図８の画像入力手段１の一例である。
【０３２６】
ディスプレイ７００は、図８の画像表示手段４の一例である。マイク８００は、図８の音声入力手段３の一例である。スピーカ９００は、図８の音声出力手段５の一例である。
【０３２７】
さて、以上のように、本実施の形態では、送信元の電話装置は、送信先の電話装置のオフフックの前に、基地局装置２００へ、送信元の情報を送信する。
【０３２８】
そして、基地局装置２００は、送信元の電話装置が送信した送信元の情報に基づいて画像及び音声を取得し、取得した画像及び音声を、送信先の電話装置のオフフック前に、送信先の電話装置に送信する。
【０３２９】
このため、送信先の電話装置では、送信元の電話装置が送信する送信元の情報に基づいて、基地局装置２００が取得した画像を、オフフック前に表示できる。しかも、送信元の電話装置が送信元の情報を送信するので（従来のように、基地局装置に予め登録した情報を送信するのではないので）、送信元の電話装置の利用者は、送信先に応じて、送信元の情報の内容を適宜変更して送信できる。さらに、送信先の電話装置では、送信元の電話装置が送信する送信元の情報に基づいて、基地局装置２００が取得した音声を、オフフック前に出力できる。
【０３３０】
その結果、送信先の電話装置の利用者は、電話にでる前に、通話を行うかどうかの判断をより的確に行うことができる。
【０３３１】
また、本実施の形態では、最終的に、送信先の電話装置には、送信元の情報を表す画像が送信されるので、文字情報が送信される場合と比較して、送信元の情報の表現の自由度が大きい。同様の理由で、送信先の表現の自由度も大きい。
【０３３２】
さらに、本実施の形態では、送信元の電話装置は、送信先の電話装置のオフフックの前に、送信元の情報に加えて、送信先の情報を送信することもできる。
【０３３３】
このため、送信先の情報は、送信元の電話装置から、基地局装置２００へ送信され、さらに、画像として、送信先の電話装置へ送信される。
【０３３４】
従って、送信先の電話装置では、送信元から送信された送信先の情報を表す画像を、オフフック前に表示できる。
【０３３５】
その結果、送信先の電話装置の利用者は、電話にでる前に、間違い電話かどうかを判断できる。
【０３３６】
さらに、本実施の形態では、基地局装置２００は、オフフックの後に送信先の電話装置が送信した遮断要求信号に応じて、遮断通知画像及び遮断通知音声を、送信元の電話装置へ送信し、送信元の電話装置と送信先の電話装置との通信を遮断する。
【０３３７】
その結果、送信元である相手方と、会話をすることなく、通信を遮断でき、しかも、遮断通知画像及び遮断通知音声として、遮断の理由を送信元に通知できる。
【０３３８】
さらに、本実施の形態では、送信元の電話装置が送信する送信元の情報を表す画像には、送信元の電話装置の利用者の顔画像を含ませることができる。
その結果、送信先において、送信元である相手方の認識がさらに容易になる。
【０３３９】
さらに、本実施の形態では、電話装置に比べて記憶容量の制限が少ない基地局装置２００の画像データベース２６に、送信元の情報を表す画像を蓄積している。
【０３４０】
その結果、利用者は、様々な送信元の情報を表す画像を、画像データベース２６に蓄積でき、利便性の向上を図ることができる。
【０３４１】
同様に、利用者は、様々な送信元の情報を表す音声を、符号化音声データベース２９に蓄積でき、利便性の向上を図ることができる。
【０３４２】
さらに、本実施の形態では、送信先及び送信元の情報を表す画像及び音声を、基地局装置２００で取得するので、実施の形態１の電話装置αと比較して、電話装置β１の簡略化、記憶容量の削減、及び、処理の高速化、を図ることができる。例えば、電話装置β１では、図１の画像合成手段７３や音声記憶手段６９などが不要である。
【０３４３】
なお、上記の説明では、送信先の情報と、送信元の情報と、送信元の情報を表す画像と、をネットワーク５１を介して、基地局装置に送信している。
【０３４４】
ただし、送信先の電話装置のオフフック前に、少なくとも、送信元の情報を表す画像、あるいは、送信元の情報、を基地局装置２００に送信することで、送信先の電話装置の利用者は、電話にでる前に、通話を行うかどうかの判断を的確に行うことができる。
【０３４５】
また、上記の説明では、電話装置β１に、送信元画像記憶手段１０３を設けている。
【０３４６】
ただし、電話装置β１の記憶容量削減のため、送信元画像記憶手段１０３を取り除き、送信元画像記憶手段１０３に記憶していた情報（例えば、電話装置β１の利用者の顔画像）を、基地局装置２００の画像データベース２６に格納しておくこともできる。
【０３４７】
また、上記の説明では、図１１の基地局装置２００には、画像データベース２６を設けている。
【０３４８】
ただし、画像データベース２６に代えて、送信元の情報に基づいた画像を生成する画像生成手段を設けてもよい。
【０３４９】
（実施の形態３）
図１４は、本発明の実施の形態３における電話装置のブロック図である。なお、図１４において、図１と同様の部分については、同一の符号を付して説明を適宜省略する。また、図１４において、図８と同様の部分については、同一の符号を付して説明を適宜省略する。
【０３５０】
図１４に示すように、本実施の形態における電話装置γは、図１の送信手段７に代えて、送信手段９０を設け、図１の制御手段６に代えて、制御手段１２を設け、図１の受信手段８に代えて、受信手段５０を設けたものである。
【０３５１】
この送信手段９０は、送信元画像記憶手段１０３、送信元情報記憶手段１００、送信先情報記憶手段１０１、遮断通知画像記憶手段７２、画像符号化手段７４、切替手段７５、多重化手段７６、音声符号化手段７７、切替手段７８、及び、遮断通知音声記憶手段７９、を含む。
【０３５２】
この受信手段５０は、画像生成手段５２、画像合成手段５３、画像生成手段５４、送信先情報記憶手段５１、画像復号化手段８０、送信元情報記憶手段５５、音声復号化手段８１、及び、分離手段８２、を含む。
【０３５３】
なお、電話装置γは、例えば、テレビ電話装置である。また、この電話装置γには、ＩＰ電話なども含まれる。
【０３５４】
さて、次に、図１の電話装置α及び図８の電話装置β１と異なる点を中心に、各構成の機能・動作を説明する。
制御手段１２は、図１４の電話装置γの各構成を制御する。
【０３５５】
次に、送信手段９０について説明する。
送信元画像記憶手段１０３は、送信元の情報を表す画像信号を記憶する。
【０３５６】
画像符号化手段７４は、制御手段１２の指示に従って、画像入力手段１から入力された画像、あるいは、送信元画像記憶手段１０３から読み出した画像、に対して符号化を施す。
【０３５７】
遮断通知画像記憶手段７２は、符号化された遮断通知画像を記憶する。切替手段７５は、制御手段１２の指示に従って、画像符号化手段７４が生成した符号化画像、又は、遮断通知画像記憶手段７２から読み出した遮断通知画像、のいずれか一方を、多重化手段７６に出力する。
【０３５８】
送信元情報記憶手段１００は、送信元の情報を記憶する。送信先情報記憶手段１０１は、送信先の情報を記憶する。
【０３５９】
音声符号化手段７７は、制御手段１２の指示に従って、音声入力手段３から入力された音声、に対し符号化を施す。
【０３６０】
遮断通知音声記憶手段７９は、符号化された遮断通知音声を記憶する。切替手段７８は、制御手段１２の指示に従って、音声符号化手段７７が生成した符号化音声、又は、遮断通知音声記憶手段７９から読み出した遮断通知音声、のいずれか一方を、多重化手段７６に出力する。
【０３６１】
多重化手段７６は、制御手段１２の指示に従って、送信先の電話装置のオフフック前は、画像符号化手段７４が符号化した符号化画像と、送信元情報記憶手段１００から読み出した情報と、送信先情報記憶手段１０１から読み出した情報と、を多重化する。
【０３６２】
また、多重化手段７６は、制御手段１２の指示に従って、送信先の電話装置のオフフック後は、画像符号化手段７４が符号化した符号化画像と、音声符号化手段７７が符号化した符号化音声と、を多重化する。
【０３６３】
さらに、多重化手段７６は、制御手段１２から、通話を拒否する指示が出された場合は、遮断通知画像記憶手段７２から読み出した遮断通知画像と、遮断通知音声記憶手段７９から読み出した遮断通知音声と、を多重化する。
【０３６４】
接続制御手段９は、制御手段１２の指示に従って、多重化手段７６による多重化信号をネットワーク５０に送出する。
【０３６５】
ここで、送信先情報記憶手段１０１、送信元情報記憶手段１００、送信元画像記憶手段１０３、遮断通知画像記憶手段７２、及び、遮断通知音声記憶手段７９、については、電話装置γに内蔵することもできるし、また、外部記憶手段として構成して、電話装置γに装着して使用することもできる。
【０３６６】
さて、次に、受信手段５０について説明する。
分離手段８２は、制御手段１２の指示に従って、接続制御手段９から与えられた多重化信号を分離する。
【０３６７】
通話を行っているときに（電話装置γのオフフック後に）接続制御手段９が受信する多重化信号は、符号化画像と符号化音声とを多重化した信号であるため、この場合は、分離手段８２は、多重化信号を、符号化画像と符号化音声とに分離し、符号化画像を画像復号化手段８０に与え、符号化音声を音声復号化手段８１に与える。
【０３６８】
一方、通話開始前（電話装置γのオフフック前）では、接続制御手段９が受信する多重化信号は、送信先の情報と、送信元の情報と、符号化された送信元の情報を表す画像と、符号化された送信元／送信先の情報を表す音声と、を多重化した信号であるため、この場合は、分離手段８２は、多重化信号を、送信先の情報と、送信元の情報と、符号化された送信元の情報を表す画像と、符号化された送信元／送信先の情報を表す音声と、に分離し、符号化された送信元の情報を表す画像を画像復号化手段８０に与え、送信元の情報を送信元情報記憶手段５５に与え、送信先の情報を送信先情報記憶手段５１に与え、符号化された送信元／送信先の情報を表す音声を音声復号化手段８１に与える。
【０３６９】
送信先の情報としては、例えば、送信先の電話装置の利用者の電話番号及び氏名等を表す情報（キャラクタコード）である。
【０３７０】
送信元の情報としては、例えば、送信元の電話装置の利用者の電話番号及び氏名等を表す情報（キャラクタコード）である。
【０３７１】
符号化された送信元の情報を表す画像としては、例えば、送信元の電話装置の利用者の顔画像、等である。
【０３７２】
送信元／送信先の情報を表す音声としては、例えば、送信元の電話装置の利用者の氏名を表す音声、送信先の電話装置の利用者の氏名を表す音声、あるいは、送信元の電話装置の利用者の氏名及び送信先の電話装置の利用者の氏名を表す音声、等である。
【０３７３】
送信先情報記憶手段５１は、制御手段１２の指示に従って、分離手段８２により分離された送信先の情報を記憶する。
【０３７４】
画像復号化手段８０は、制御手段１２の指示に従って、分離手段８２により分離された符号化された送信元の情報を表す画像、又は、分離手段８２により分離された通話中の符号化画像、に対して復号化処理を施す。
【０３７５】
画像復号化手段８０は、制御手段１２の指示に従って、復号の対象が送信元の情報を表す画像である場合は、復号画像を画像合成手段５３に与え、復号の対象が通話中の画像である場合は、復号画像を画像表示手段４に与える。
【０３７６】
送信元情報記憶手段５５は、制御手段１２の指示に従って、分離手段８２により分離された送信元の情報を記憶する。
【０３７７】
画像生成手段５２は、制御手段１２の指示に従って、送信先画像記憶手段５２に記憶された送信先の情報に基づいた、送信先の情報を表す画像を生成する。
【０３７８】
例えば、送信先情報記憶手段５１に記憶された送信先の情報が、送信先の電話番号及び氏名等を表す情報（キャラクタコード）であれば、送信先の電話番号及び氏名等を表す画像を生成する。
【０３７９】
画像生成手段５４は、制御手段１２の指示に従って、送信元情報記憶手段５５に記憶された送信元の情報に基づいた、送信元の情報を表す画像を生成する。
【０３８０】
例えば、送信元情報記憶手段５５に記憶された送信元の情報が、送信元の電話番号及び氏名等を表す情報（キャラクタコード）であれば、送信元の電話番号及び氏名等を表す画像を生成する。
【０３８１】
画像合成手段５３は、制御手段１２の指示に従って、画像生成手段５２が生成した送信先の情報を表す画像（例えば、送信先の電話装置の利用者の電話番号及び氏名等を表す画像）と、画像生成手段５４が生成した送信元の情報を表す画像（例えば、送信元の電話装置の利用者の電話番号及び氏名等を表す画像）と、画像復号化手段８０が復号した送信元の情報を表す画像（例えば、送信元の電話装置の利用者の顔画像）と、を合成し、合成画像を生成して、画像表示手段４に与える。
【０３８２】
音声復号化手段８１は、制御手段１２の指示に従って、符号化された送信元／送信先の情報を表す音声、又は、通話中の符号化音声、に対して復号化処理を施し、復号音声を音声出力手段５に与える。
【０３８３】
さて、次に、全体の処理の流れをフローチャートを用いて説明する。
まず、送信処理について説明する。この場合、電話装置γが送信元（送信側）であるとする。この場合の処理は、図９に示した送信処理と同様である。
【０３８４】
次に、受信処理について説明する。この場合、電話装置γが送信先（受信側）であるとする。
図１５は、受信処理のフローチャートである。
【０３８５】
図１５に示すように、ステップＳ９１にて、接続制御手段９は、ネットワーク５０に接続された送信元である電話装置から送信された多重化信号を受信する。
【０３８６】
この多重化信号は、符号化された送信元の情報を表す画像と、送信元の情報と、送信先の情報と、を多重化した信号である。
【０３８７】
ステップＳ９２にて、分離手段８２は、制御手段１２の指示に従って、多重化信号を、符号化された送信元の情報を表す画像と、送信元の情報と、送信先の情報と、に分離する。
【０３８８】
ステップＳ９３にて、画像生成手段５４は、制御手段１２の指示に従って、送信元情報記憶手段５５に記憶された送信元の情報に基づいた、送信元の情報を表す画像を生成する。
【０３８９】
ステップＳ９４にて、画像生成手段５２は、制御手段１２の指示に従って、送信先情報記憶手段５１に記憶された送信先の情報に基づいた、送信先の情報を表す画像を生成する。
【０３９０】
ステップＳ９５にて、画像復号化手段８０は、制御手段１２の指示に従って、分離手段８２が分離した、符号化された送信元の情報を表す画像を復号する。
【０３９１】
ステップＳ９６にて、画像合成手段５３は、制御手段１２の指示に従って、画像生成手段５２が生成した送信先の情報を表す画像と、画像生成手段５４が生成した送信元の情報を表す画像と、画像復号化手段８０が復号した送信元の情報を表す画像と、を合成し、合成画像を生成する。
【０３９２】
ステップＳ９７にて、制御手段１２の指示に従って、音声出力手段５から、呼び出し音が鳴らされる。
【０３９３】
ステップＳ９８にて、画像表示手段４は、制御手段１２の指示に従って、画像合成手段５３が生成した合成画像を表示する。
【０３９４】
ステップＳ９９にて、送信先となっている電話装置γがオフフックされて、制御手段１２により、通話開始の指示が出された場合は、ステップＳ１００にて、通話を開始することができる。
【０３９５】
この後は、ネットワーク５０に接続された送信元の電話装置が送信する画像は、接続制御手段９、分離手段８２、及び、画像復号化手段８０、を介して、画像表示手段４に表示され、ネットワーク５０に接続された送信元の電話装置が送信する音声は、接続制御手段９、分離手段８２、及び、音声復号化手段８１、を介して、音声出力手段５から出力される。
【０３９６】
一方、ステップＳ９９にて、制御手段１２により、遮断の指示が出された場合は、ステップＳ１０１にて、遮断処理が実行される。この遮断処理は、図４に示した遮断処理と同様である。
【０３９７】
ここで、図１５のステップＳ９３、ステップＳ９４、及び、ステップＳ９５、の処理の順番は、これに限定されるものではなく、また、並列処理することもできる。
【０３９８】
また、呼び出し音を鳴らすのは、図１５のステップＳ９６の後に限られず、受信後であればよい。
【０３９９】
さて、次に、図６を用いて、図１４の電話装置γがチップ上でどのように構成されるかを例示する。
【０４００】
メモリＣ１は、図１４の送信先情報記憶手段１０１、送信元情報記憶手段１００、送信元画像記憶手段１０３、遮断通知画像記憶手段７２、遮断通知音声記憶手段７９、送信先情報記憶手段５１、及び、送信元情報記憶手段５５、として機能する。
【０４０１】
プロセッサＣ２は、図１４の画像符号化手段７４、切替手段７５、多重化手段７６、音声符号化手段７７、切替手段７８、画像生成手段５２，５４、画像復号化手段８０、音声復号化手段８１、画像合成手段５３、分離手段８２、接続制御手段９、及び、制御手段１２、として機能する。
【０４０２】
入力キー５００は、図１４の文字入力手段２の一例である。カメラ６００は、図１４の画像入力手段１の一例である。
【０４０３】
ディスプレイ７００は、図１４の画像表示手段４の一例である。マイク８００は、図１４の音声入力手段３の一例である。スピーカ９００は、図１４の音声出力手段５の一例である。
【０４０４】
さて、以上のように、本実施の形態においては、送信先の電話装置では、送信元の電話装置が送信した送信元の情報に基づいて、画像を生成し、当該画像を、オフフック前に表示する。
【０４０５】
このため、送信先の電話装置では、送信元の電話装置が送信する送信元の情報に基づいて生成した画像を、オフフック前に表示できる。しかも、送信元の電話装置が送信元の情報を送信するので（従来のように、基地局装置に予め登録した情報を送信するのではないので）、送信元の電話装置の利用者は、送信先に応じて、送信元の情報の内容を適宜変更して送信できる。
【０４０６】
その結果、送信先の電話装置の利用者は、電話にでる前に、通話を行うかどうかの判断をより的確に行うことができる。
【０４０７】
また、本実施の形態においては、送信先の電話装置では、送信元の電話装置が送信した送信先の情報に基づいて、画像を生成し、当該画像をも、オフフック前に表示できる。
【０４０８】
その結果、送信先の本電話装置の利用者は、電話にでる前に、間違い電話かどうかを判断できる。
【０４０９】
さらに、本実施の形態では、送信先の電話装置は、通話を拒否する場合は、オフフックの後に、遮断通知画像及び遮断通知音声を、送信元の電話装置へ送信し、送信元の電話装置との通信を遮断する。
【０４１０】
その結果、送信元である相手方と、会話をすることなく、通信を遮断でき、しかも、遮断通知画像及び遮断通知音声として、遮断の理由を送信元に通知できる。
【０４１１】
なお、上記の説明では、送信先の情報と送信元の情報と、をネットワーク５０を介して、送信先の電話装置に送信している。
【０４１２】
ただし、送信先の電話装置のオフフック前に、少なくとも、送信元の情報を送信先の電話装置に送信することで、送信先の電話装置の利用者は、電話にでる前に、通話を行うかどうかの判断を的確に行うことができる。
【０４１３】
さて、実施の形態１と実施の形態２との組み合わせ、実施の形態１と実施の形態３との組み合わせ、実施の形態２と実施の形態３との組み合わせ、あるいは、実施の形態１と実施の形態２と実施の形態３との組み合わせ、も可能である。
【０４１４】
【発明の効果】
請求項１記載の電話装置では、マルチメディア情報は、送信元の本電話装置から、送信先の電話装置へ送信される。
【０４１５】
従って、送信元の本電話装置の利用者は、送信先に応じたマルチメディア情報を送信できる。しかも、このマルチメディア情報は、送信先の電話装置のオフフック前に送信される。
【０４１６】
その結果、送信先の電話装置の利用者は、電話に出る前に、的確な対応をすることができる。
【０４１７】
請求項２記載の電話装置では、送信先の本電話装置では、送信元の電話装置が、送信先に応じて送信するマルチメディア情報に基づく情報を、オフフック前に表示できる。
【０４１８】
その結果、送信先の本電話装置の利用者は、電話にでる前に、的確な対応をすることができる。
【０４１９】
請求項３記載の電話装置では、送信元の情報を表す画像は、送信元の本電話装置から、送信先の電話装置へ送信される。
【０４２０】
従って、送信元の本電話装置の利用者は、送信先に応じた、送信元の情報を表す任意の画像を送信できる。しかも、この送信元の情報を表す画像は、送信先の電話装置のオフフック前に送信される。
【０４２１】
その結果、送信先の電話装置の利用者は、電話にでる前に、通話を行うかどうかの判断をより的確に行うことができる。
【０４２２】
また、送信元の本電話装置は、送信元の情報を表す画像を送信するので、文字情報を送信する場合と比較して、送信元の情報の表現の自由度が大きい。
【０４２３】
請求項４記載の電話装置では、送信先の電話装置では、送信元の本電話装置から送信された送信先の情報を表す画像を、オフフック前に表示できる。
【０４２４】
その結果、送信先の電話装置の利用者は、電話にでる前に、間違い電話かどうかを判断できる。
【０４２５】
また、送信元の本電話装置は、送信先の情報を表す画像を送信するので、文字情報を送信する場合と比較して、送信先の情報の表現の自由度が大きい。
【０４２６】
請求項５記載の電話装置では、送信元の情報は、送信元の本電話装置から、基地局装置へ送信され、さらに、画像として、送信先の電話装置へ送信される。
【０４２７】
従って、送信元の本電話装置の利用者は、送信先に応じた、送信元の任意の情報を送信できる。
【０４２８】
これにより、送信先の電話装置では、送信先に応じた、送信元の情報を表す画像を、オフフック前に表示できる。
【０４２９】
その結果、送信先の電話装置の利用者は、電話にでる前に、通話を行うかどうかの判断をより的確に行うことができる。
【０４３０】
また、最終的に、送信先の電話装置には、送信元の情報を表す画像が送信されるので、文字情報が送信される場合と比較して、送信元の情報の表現の自由度が大きい。
【０４３１】
請求項６記載の電話装置では、送信先の情報は、送信元の本電話装置から、基地局装置へ送信され、さらに、画像として、送信先の電話装置へ送信される。
【０４３２】
従って、送信先の電話装置では、送信元から送信された送信先の情報を表す画像を、オフフック前に表示できる。
【０４３３】
その結果、送信先の電話装置の利用者は、電話にでる前に、間違い電話かどうかを判断できる。
【０４３４】
また、最終的に、送信先の電話装置には、送信先の情報を表す画像が送信されるので、文字情報が送信される場合と比較して、送信先の情報の表現の自由度が大きい。
【０４３５】
請求項７記載の電話装置では、送信先の本電話装置では、送信元の電話装置が、送信先に応じて送信する、送信元の情報を表す任意の画像を、オフフック前に表示できる。
【０４３６】
その結果、送信先の本電話装置の利用者は、電話にでる前に、通話を行うかどうかの判断をより的確に行うことができる。
【０４３７】
請求項８記載の電話装置では、送信先の本電話装置の利用者は、電話にでる前に、間違い電話かどうかを判断できる。
【０４３８】
請求項９記載の電話装置では、送信先の本電話装置では、送信元の電話装置が送信先に応じて送信する送信元の任意の情報に基づいて、基地局装置が取得した画像を、オフフック前に表示できる。
【０４３９】
その結果、送信先の本電話装置の利用者は、電話にでる前に、通話を行うかどうかの判断をより的確に行うことができる。
【０４４０】
請求項１０記載の電話装置では、送信先の本電話装置の利用者は、電話にでる前に、間違い電話かどうかを判断できる。
【０４４１】
請求項１１記載の電話装置では、送信先の本電話装置の利用者は、電話にでる前に、通話を行うかどうかの判断をより的確に行うことができる。
【０４４２】
請求項１２記載の電話装置では、送信先の本電話装置の利用者は、電話にでる前に、間違い電話かどうかを判断できる。
【０４４３】
請求項１３記載の電話装置では、送信先において、送信元である相手方の認識がさらに容易になる。
【０４４４】
請求項１４記載の電話装置では、送信先において、送信元である相手方の認識がさらに容易になる。
【０４４５】
請求項１５記載の電話装置では、送信元の情報を表す音声は、送信元の本電話装置から、送信先の電話装置へ送信される。
【０４４６】
従って、送信元の本電話装置の利用者は、送信先に応じた、送信元の情報を表す任意の音声を送信できる。しかも、この送信元の情報を表す音声は、送信先の電話装置のオフフック前に送信される。
【０４４７】
その結果、送信先の電話装置の利用者は、電話にでる前に、通話を行うかどうかの判断をより的確に行うことができる。
【０４４８】
請求項１６記載の電話装置では、送信先の電話装置では、送信元の本電話装置から送信された送信先の情報を表す音声を、オフフック前に出力できる。
【０４４９】
その結果、送信先の電話装置の利用者は、電話にでる前に、間違い電話かどうかを判断できる。
【０４５０】
請求項１７記載の電話装置では、送信元である相手方と、会話をすることなく、通信を遮断でき、しかも、所定の画像として、遮断の理由を送信元に通知できる。
【０４５１】
請求項１８記載の電話装置では、送信元である相手方と、会話をすることなく、通信を遮断でき、しかも、所定の音声として、遮断の理由を送信元に通知できる。
【０４５２】
請求項１９記載の電話装置では、送信元の情報は、送信元の本電話装置から、基地局装置へ送信され、さらに、音声として、送信先の電話装置へ送信される。
【０４５３】
従って、送信元の本電話装置の利用者は、送信先に応じた、送信元の任意の情報を送信できる。
【０４５４】
これにより、送信先の電話装置では、送信先に応じた、送信元の情報を表す音声を、オフフック前に出力できる。
【０４５５】
その結果、送信先の電話装置の利用者は、電話にでる前に、通話を行うかどうかの判断をより的確に行うことができる。
【０４５６】
請求項２０記載の基地局装置では、送信先の電話装置では、送信元の電話装置が送信先に応じて送信する送信元の任意の情報に基づいて、基地局装置が取得した画像を、オフフック前に表示できる。
【０４５７】
その結果、送信先の電話装置の利用者は、電話にでる前に、通話を行うかどうかの判断をより的確に行うことができる。
【０４５８】
請求項２１記載の基地局装置では、送信先において、送信元である相手方の認識がさらに容易になる。
【０４５９】
請求項２２記載の基地局装置では、送信先の電話装置の利用者は、電話にでる前に、間違い電話かどうかを判断できる。
【０４６０】
請求項２３記載の基地局装置では、送信先の電話装置では、送信元の電話装置が送信先に応じて送信する送信元の任意の情報に基づいて、基地局装置が取得した音声を、オフフック前に出力できる。
【０４６１】
その結果、送信先の電話装置の利用者は、電話にでる前に、通話を行うかどうかの判断をより的確に行うことができる。
【０４６２】
請求項２４記載の基地局装置では、送信元である相手方と、会話をすることなく、通信を遮断でき、しかも、所定の画像として、遮断の理由を送信元に通知できる。
【０４６３】
請求項２５記載の基地局装置では、送信元である相手方と、会話をすることなく、通信を遮断でき、しかも、所定の音声として、遮断の理由を送信元に通知できる。
【０４６４】
請求項２６記載の通信方法では、マルチメディア情報は、送信元の本電話装置から、送信先の電話装置へ送信される。
【０４６５】
従って、送信元の本電話装置の利用者は、送信先に応じたマルチメディア情報を送信できる。しかも、このマルチメディア情報は、送信先の電話装置のオフフック前に送信される。
【０４６６】
その結果、送信先の電話装置の利用者は、電話に出る前に、的確な対応をすることができる。
【図面の簡単な説明】
【図１】本発明の実施の形態１における電話装置のブロック図
【図２】同送信処理のフローチャート
【図３】
同受信処理のフローチャート
【図４】同遮断処理のフローチャート
【図５】（ａ）送信先画像の例示図
（ｂ）第１の送信元画像の例示図
（ｃ）第２の送信元画像の例示図
（ｄ）合成画像の例示図
【図６】
同チップ構成の例示図
【図７】本発明の実施の形態２における通信システムのブロック図
【図８】同電話装置のブロック図
【図９】同電話装置の送信処理のフローチャート
【図１０】同電話装置の遮断処理のフローチャート
【図１１】同基地局装置のブロック図
【図１２】同基地局装置の処理のフローチャート
【図１３】同基地局装置の遮断処理のフローチャート
【図１４】本発明の実施の形態３における電話装置のブロック図
【図１５】同受信処理のフローチャート
【符号の説明】
１　画像入力手段
２　文字入力手段
３　音声入力手段
４　画像表示手段
５　音声出力手段
６、１１、１２、３４　制御手段
７、１０、９０　送信手段
８、５０　受信手段
９、２０、３３　接続制御手段
２１、８２　分離手段
２２、５１、１０１　送信先情報記憶手段
２３、５２、５４　画像生成手段
２４、８０　画像復号化手段
２５、５５、１００　送信元情報記憶手段
２６　画像データベース
２７、５３、７３　画像合成手段
２８、７４　画像符号化手段
２９　符号化音声データベース
３０、７２　遮断通知画像記憶手段
３１、７９　遮断通知音声記憶手段
３２、７６　多重化手段
５０、５１、５２　ネットワーク
６９　音声記憶手段
７０　送信先画像記憶手段
７１、１０３　送信元画像記憶手段
７５、７８　切替手段
７７　音声符号化手段
８１　音声復号化手段
１０２　遮断要求信号生成手段
２００　基地局装置
５００　入力キー
６００　カメラ
７００　ディスプレイ
８００　マイク
９００　スピーカ
１０００　通信デバイス
α、β１、β２、γ　電話装置
Ｃ　チップ
Ｃ１　メモリ
Ｃ２　プロセッサ
Ｃ３　バス
Ｃ４　外部入力インタフェース（外部入力Ｉ／Ｆ）
Ｃ５　画像入力インタフェース（画像入力Ｉ／Ｆ）
Ｃ６　画像出力インタフェース（画像出力Ｉ／Ｆ）
Ｃ７　音声入力インタフェース（音声入力Ｉ／Ｆ）
Ｃ８　音声出力インタフェース（音声出力Ｉ／Ｆ）
Ｃ９　ネットワークインタフェース（ネットワークＩ／Ｆ）
【図１】
2004072674.tif 000003
【図２】
2004072674.tif 000004
【図３】
2004072674.tif 000005
【図４】
2004072674.tif 000006
【図５】
2004072674.tif 000007
【図６】
2004072674.tif 000008
【図７】
2004072674.tif 000009
【図８】
2004072674.tif 000010
【図９】
2004072674.tif 000011
【図１０】
2004072674.tif 000012
【図１１】
2004072674.tif 000013
【図１２】
2004072674.tif 000014
【図１３】
2004072674.tif 000015
【図１４】
2004072674.tif 000016
【図１５】
2004072674.tif 000017